(57)【要約】【課題】外装パネル体の施工及びメンテナンスを容易にする。【解決手段】取付材４は、水下側パネル支持部４１と、重合部２２１に屋外側から重合する浮上り防止部４２と、水上側連結部２２を水下側から係止する外れ防止部４３とを有し、水下側パネル２は水上側連結部２２を取付材４の水下側パネル支持部４１と浮上り防止部４２との間に水下側から挿脱自在に挿入するとともに外れ防止部４３に係止してあり、取付材４及び水下側パネル２の水上側連結部２２の少なくとも一方は水上側パネル３の基板３１を支持するとともに、水上側パネル３は水下側連結部３２の水上側面を水下側パネル２の水上側連結部２２の水下側面に対面しており、カバー材５は係合受部３２１に係合するとともに、係合受部３２１を支点として水下側パネル２に弾性係合している。【選択図】        図１
2004332255.tif 000002
【特許請求の範囲】
【請求項１】
躯体に固定する取付材と、取付材の水下側に配置する水下側パネルと、取付材の水上側に配置する水上側パネルと、水下側パネルと水上側パネルとを連結するカバー材とを備え、水下側パネルは基板と、基板の水上側から屋外側に向けて突出する水上側連結部と、水上側連結部の水上側に設けた重合部とを有し、水上側パネルは基板と、基板の水下側から躯体側に向けて突出する水下側連結部と、水下側連結部の水下側面に設けた係合受部とを有し、取付材は、水下側パネルを支持する水下側パネル支持部と、水下側パネルの重合部に屋外側から重合する浮上り防止部と、水下側パネルの水上側連結部の水上側を水下側から係止する外れ防止部とを有し、水下側パネルは水上側連結部を取付材の水下側パネル支持部と浮上り防止部との間に水下側から挿脱自在に挿入するとともに外れ防止部に係止してあり、取付材及び水下側パネルの水上側連結部の少なくとも一方は水上側パネルを支持しており、水下側パネルの水上側連結部の水下側面は水上側パネルの水下側連結部の水上側面に対面しており、カバー材は水上側パネルの係合受部に係合するとともに、係合受部を支点として水下側パネルの水上側連結部の水下側面に弾性係合していることを特徴とする外装パネル体。
【発明の詳細な説明】
【０００１】
【発明が属する技術分野】
本発明は、例えば躯体の外周を被覆するのに好適な外装パネル体に関するものである。
【０００２】
【従来の技術】
従来、上記した外装パネル体として、例えば、特許文献１や特許文献２の如く、躯体に等間隔に固定した吊子にパネルの一端を固定し、他端を隣接するパネルに係合して連設するようにしたものがそれぞれの目的・課題に対応して種々知られている。
【０００３】
【特許文献１】
特開平１０−１１５０５６号公報
【特許文献２】
特開昭６０−１９８５５号公報
【０００４】
【発明が解決しようとする課題】
ところが、上記した如き従来の外装パネル体では、メンテナンスの際などに１枚のパネルだけを交換したいときにも隣接するパネルも外さないと交換できない、即ちメンテナンス作業性が悪いという問題があり、取り付け施工を容易にする事と同時に、外装パネル体の基本性能としての水密性を確保しつつこの問題を解決することが従来の課題となっていた。
【０００５】
【発明の目的】
本発明は、上記した従来の課題に着目してなされたもので、施工が容易であると同時に、メンテナンス時などに外したいパネルだけを外して交換することが容易にでき、且つ、水密性も確保できる外装パネル体を提供することを目的としている。
【０００６】
【課題を解決するための手段】
請求項１に記載の発明は、躯体に固定する取付材と、取付材の水下側に配置する水下側パネルと、取付材の水上側に配置する水上側パネルと、水下側パネルと水上側パネルとを連結するカバー材とを備え、水下側パネルは基板と、基板の水上側から屋外側に向けて突出する水上側連結部と、水上側連結部の水上側に設けた重合部とを有し、水上側パネルは基板と、基板の水下側から躯体側に向けて突出する水下側連結部と、水下側連結部の水下側面に設けた係合受部とを有し、取付材は、水下側パネルを支持する水下側パネル支持部と、水下側パネルの重合部に屋外側から重合する浮上り防止部と、水下側パネルの水上側連結部の水上側を水下側から係止する外れ防止部とを有し、水下側パネルは水上側連結部を取付材の水下側パネル支持部と浮上り防止部との間に水下側から挿脱自在に挿入するとともに外れ防止部に係止してあり、取付材及び水下側パネルの水上側連結部の少なくとも一方は水上側パネルを支持しており、水下側パネルの水上側連結部の水下側面は水上側パネルの水下側連結部の水上側面に対面しており、カバー材は水上側パネルの係合受部に係合するとともに、係合受部を支点として水下側パネルの水上側連結部の水下側面に弾性係合している構成を前述した従来の課題を解決するための手段としている。
【０００７】
【発明の作用】
本発明の請求項１に係わる外装パネル体において、水下側パネルは水上側連結部を取付材の水下側パネル支持部と浮上り防止部との間に水下側から挿脱自在に挿入するとともに外れ防止部に係合してあるので、躯体側、屋外側及び水下側への移動を規制しており、且つ、取付材及び水下側パネルの水上側連結部の少なくとも一方は水上側パネルを支持しているから水上側パネルの躯体側への移動を規制するとともに、水上側連結部と水下側連結部との隙間から浸入した雨水等がパネル体の躯体側へ浸入することを阻止しており、そして、水下側パネルの水上側連結部の水下側面は水上側パネルの水下側連結部の水上側面に対面しているから水上側パネルの水上側への移動を規制するとともに水上側連結部と水下側連結部との隙間から浸入した雨水等に対する防水壁として機能することによって水密性を確保しており、更に、カバー材は係合受部を支点として水下側パネルの水下側面にに弾性係合しているから、水下側パネルと水上側パネルとをカバー材で連結係合することによって水下側パネルと水上側パネルとを取付材に固定できる、即ち、水密性を確保しながらパネルの組立作業も容易であるという効果を有しており、且つ、上記した構造であるから水上側パネルのみを取り替えようとする場合には弾性係合しているカバー材の躯体側端部を水下側パネルの水上側連結部の水下側面から強制的に取り外すことによって水上側パネルの水下側を屋外側に回転させて容易に水上側パネルのみを取り外すことができるようになり、また、この逆の手順で水上側パネルを再び取り付け固定することも容易にできるという格別の効果が得られることとなる。
【０００８】
【発明の実施の形態】
以下、本発明を図面に基づいて説明する。
【０００９】
図１、図２は本発明に係わる外装パネル体の第一実施形態を示しており、ここでは、本発明に係わる外装パネル体１を太陽光発電装置に適用して躯体Ｋ（屋根）に設置した場合を示し、太陽光発電パネルを取り付けた複数のパネルＰ、Ｐ、Ｐ、・・・を長手方向を水平に配置して躯体Ｋ（屋根）の勾配方向に連続して取り付けたものである。水下側パネル２と水上側パネル３とは上下に連続する各パネルＰの水上側と水下側とを指している。
【００１０】
本発明の第一実施形態の外装パネル体１は躯体Ｋにねじ止め固定した取付材４と、取付材４の水下側に配置する水下側パネル２と、取付材４の水上側に配置する水上側パネル３と、水下側パネル２と水上側パネル３とを連結するカバー材５とを備えている。水下側パネル２は基板２１と、基板２１の上端部に水上側から屋外側に向けて突出して設けた水上側連結部２２と、水上側連結部２２の水上側に設けた重合部２２１と、重合部２２１の水上側から屋外側に突出する係止部２２２とを有している。水上側パネル３は基板３１と、基板３１の下端部に水下側から躯体Ｋ側に向けて突出して設けた水下側連結部３２と、水下側連結部３２に設けた係合受部３２１とを有している。
【００１１】
取付材４は、水下側パネル２の水上側を支持する水下側パネル支持部４１と、重合部２２１に屋外側から重合する浮上り防止部４２とを有し、浮上り防止部４２の水上側端部を水下側パネル２の係止部２２２に水下側から係合する外れ防止部４３としてある。水下側パネル２は水上側連結部２２を取付材４の水下側パネル支持部４１と浮上り防止部４２との間に水下側から挿脱自在に挿入するとともに係止部２２２を外れ防止部４３に係止してある。水下側パネル２は水上側連結部２２の屋外側端部を水上側パネル３の基板３１の屋内側面に当接してこれを支持する水上側パネル支持部２２５とするとともに、水上側パネル支持部２２５の屋内側に連続する水上側連結部２２の水下側面を水上側パネル３の水下側連結部３２の水上側面に対面する移動規制部２２３としてある。水上側パネル３は水下側連結部３２の係合受部３２１から躯体Ｋ側に突出してカバー材５の中間部に当接するカバー材当接部３２４を有するとともに、係合受部３２１の屋外側にカバー材５の屋外側端部を呑み込む呑み込み溝３２３を有している。カバー材５は屋外側には水上側パネル３の係合受部３２１に係合する屋外側係合部５１と、呑み込み溝３２３に挿入係合する挿入部５１１とを設け、躯体側には水下側パネル２の水上側連結部２２の水下側に躯体側に開口して設けた係合受溝２２４に躯体側から係合する躯体側係合部５２を設け、係合受部３２１を支点として水下側パネル２の水上側を水上側パネル３の水下側に引き寄せて弾性係合している。
【００１２】
上記した本発明の第一実施形態の外装パネル体１を躯体Ｋ（屋根）に取り付け施工する手順は以下の通りである。以下の説明では便宜上、これから取り付けようとするパネルをパネルＰとし、図２に示すようにパネルＰと水上側のパネルＰとを連結する部分の部位記号には例えば水下側パネル２ａ、水上側パネル３ａの如く図１に付した記号の末尾に“ａ”を付し、パネルＰと水下側のパネルとを連結する部分の部位記号には例えば水下側パネル２ｂ、水上側パネル３ｂの如く図１に付した記号の末尾に“ｂ”を付して説明する。但し、図２において細部の記号については一部記載を省略した。
【００１３】
始めに、取付材４ａ、４ｂ、・・・を躯体Ｋ（屋根）の所定位置、所定間隔にねじ止め固定しておく。そして、パネルＰの水下側（水上側パネル３ｂとしている部分）を浮かせた状態でパネルＰの水上側（水下側パネル２ａとしている部分）において、水下側パネル２ａは水上側連結部２２ａの係止部２２２ａを取付材４ａの水下側パネル支持部４１ａと浮上り防止部４２ａとの間に水下側から挿入して外れ防止部４３ａに係合する（図２の実線で示す状態）。次に、外れ防止部４３ａを支点としてパネルＰの水下側、即ち水上側パネル３ｂ側を躯体側に回転移動させて、基板３１ｂを水下側パネル２ｂの水上側パネル支持部２２５ｂ（または、まだ水下側パネル２ｂを取付けてない場合は取付材４ｂの屋外側端部）に当接すれば、パネルＰの水上側、即ち水下側パネル２ａの重合部２２１ａが取付材４ａの浮上り防止部４２ａに重合するとともに、水下側パネル２ａの基板２１ａが取付材４ａの水下側パネル支持部４１ａに当接することとなる。（図２の点線で示す状態）したがってこの状態でパネルＰは水上側で基板２１ａが取付材４ａの水下側パネル支持部４１ａに当接し、水下側で基板２１ｂが水下側パネル２ｂの水上側パネル支持部２２５ｂに当接しているのでパネルＰの躯体側への移動を規制しており、且つ、係止部２２２ａが取付材４ａの外れ防止部４３ａに係止しているのでパネルＰの水上側（水下側パネル２ａ）の水下側への移動を規制しており、同時に、水下側パネル２ａの重合部２２１ａが取付材４ａの浮上り防止部４２ａに重合しているので水下側パネル２ａの屋外側への移動を規制してパネルＰを仮止めしていることとなる。このように仮止めしたパネルＰの水上側及び水下側のパネルも同様にして仮止めされ、このときパネルＰの水上側（水上側パネル３ａ）の水下側連結部３２ａの水上側面と水下側パネル２ａの水上側連結部２２ａの水下側面に設けた移動規制部２２３ａとは間隔を置いて対面しているのでパネルＰの熱伸縮にも対応しながら水上側パネル３ａの水上側への移動を規制していることとなる。パネルＰの水下側の水下側パネル２ｂにおいても同様にパネルＰの水上側への移動を規制していることとなる。
【００１４】
次いで、カバー材５ａの上端に設けた挿入部５１１ａを水上側パネル３ａの水下側連結部３２ａに設けた呑み込み溝３２３ａに挿入係合するとともに、カバー材５ａの屋外側係合部５１ａを水上側パネル３ａの係合受部３２１ａに屋外側から係合し、そして、係合受部３２１ａを支点として、水下側パネル２ａの水上側を水上側パネル３ａの水下側に引き寄せて、水下側パネル２ａの係合受溝２２４ａにカバー材５の躯体側係合部５２ａを弾性係合することによってパネルＰが取付材４を介して躯体Ｋに強固に固定されることとなる。そして、このとき水上側パネル３ａの水下側連結部３２ａの水下側端部をカバー材当接部３２４ａとしてカバー材５ａの中間部に当接しているのでカバー材５ａを介する水上側パネル３ａと水下側パネル２ａとの連結がより一層強固なものとなる。また、カバー材５ａの下部を適宜な間隔で水下側に切り欠いておくことによって、水下側パネル２ａの係合受溝２２４ａにカバー材５ａの躯体側係合部５２ａを弾性係合するときに、水下側パネル２ａの水上側と水上側パネル３ａの水下側との引き寄せ作業をパネルの全長にわたって同時に行なう必要が無くなるので取り付け作業がより一層容易に行えるようになる。パネルＰの水下側においても全く同様にして取り付け作業を反復することによって本発明の第一実施形態の外装パネル体１の施工が行なわれる。
【００１５】
逆に、メンテナンスなどのためにパネルＰを１枚だけ交換しようとする場合は、パネルＰの水下側でパネルＰ（水上側パネル３ｂ）と水下側パネル２ｂとを弾性係合しているカバー材５ｂの躯体側係合部５２ｂを水下側パネル２ｂの係合受溝２２４ｂから強制的に取り外してやればパネルＰの水下側（水上側パネル３ｂ）は屋外側への移動が可能となり、上記した組み立て時の逆の手順によって容易に該当のパネルＰのみを取り外すことができる。
【００１６】
第一実施形態の外装パネル体１は、上記した通りの構成としてあるから水下側パネル２と水上側パネル３とをカバー材５で弾性係合することによって容易に連結して取付材４に固定できる、即ち、外装パネル体１の組立作業が容易であるという効果を有しており、且つ、水上側パネル３のみを取り替えようとする場合には弾性係合しているカバー材５の躯体側係合部５２を水下側パネル２の水上側連結部２２に設けた係合受溝２２４から強制的に取り外すことによって水上側パネル３の水下側の屋外側への移動を可能にし、水上側パネル３の水下側を屋外側に回転させることによって容易に水上側パネル３のみを取り外すことができ、また、この逆の手順で水上側パネル３を再び取り付けることも容易にできるという格別の効果が得られることとなる。また同時に、カバー材５の上端部に挿入部５１１を設けて水上側パネル３の水下側連結部３２に設けた呑み込み溝３２３に挿入してあることによって連結をより強固にすると同時にカバー材５の屋外側係合部５１と水上側パネル３の係合受部３２１との係合部における水密性を向上する効果が得られ、そして、カバー材５の下部を切り欠いてあるために強風時などにカバー材５の躯体側係合部５２と水下側パネル２の係合受溝２２４との係合部の隙間から吹き上げてくる雨水などに対しても水下側パネル２の水上側連結部２２に設けた移動規制部２２３が防水壁の働きをするとともに、水上側パネル支持部２２５が水上側パネル３に当接して支持しているから取付材４の側への浸水を防いで水密性を向上させるという効果が得られる。
【００１７】
以上、本発明の第一実施形態について詳述したが、本発明は上述した実施の形態に限らず、本発明の趣旨を逸脱しない範囲で種々の変更が可能である。例えば、本発明の外装パネル体は第一実施形態の如く傾斜のある屋根上に連設した屋根用パネルとして用いることもできるし、建物の外壁材として、特に横貼りパネルとして用いることも可能である。水下側パネルの水上側連結部の屋外側端部が水上側パネルの基板の水下側面を支持している場合を例示したが、取付材の屋外側面が水上側パネルの基板の水下側面を支持していても良く、また、取付材の屋外側面及び水下側パネルの水上側連結部の屋外側端部の双方に当接していても良い。水上側パネルの水下側連結部の水上側面が水下側パネルの水上側連結部の水下側面に間隔を置いて対面している場合を例示したが、これらは他の部位にパネルの熱伸び対策を設けてあれば当接していても良い。
【００１８】
【発明の効果】
以上説明してきたように、本発明の請求項１に係わる外装パネル体では、上記した構成としたから、パネルの取付施工が容易にできると共に、メンテナンス時などに外したいパネルだけを外して交換することが容易にでき、且つ、水密性も確保できるという格別の効果がもたらされる。
【図面の簡単な説明】
【図１】本発明の第一実施形態の外装パネル体の連結部を拡大した断面説明図である。
【図２】本発明の第一実施形態の外装パネル体の取り付け施工工程説明図である。
【符号の説明】
１      外装パネル体
２      水下側パネル
２１    基板
２２    水上側連結部
２２１  重合部
２２４  係合受溝
３      水上側パネル
３１    基板
３２    水下側連結部
３２１  係合受部
４      取付材
４１    水下側パネル支持部
４２    浮上り防止部
４３    外れ防止部
５      カバー材
Ｋ      躯体
Ｐ      パネル
【図１】
2004332255.tif 000003
【図２】
2004332255.tif 000004